(57)【要約】【課題】経年変化による画質の劣化を回避することのできる画像表示装置等を提供する。【解決手段】ＴＶ受像機１００には、表示駆動回路１１１、ＬＣＤ、ＰＤＰ、ＦＥＤ等からなる平面型で矩形の表示パネル１１２、Ｘドライバ１１３及びＹドライバ１１４等を備えるとともに、表示パネル１１２を撮像する撮像素子１２１、画面計測部１１９等を備えている。表示パネル１１２の表示面を撮像素子１２１で撮像して、画面計測部１１９の検出部で、表示面の輝度ムラ、ガンマ特性、色バランス等を検出する。この検出した輝度ムラ、ガンマ特性、色バランス等に基づいて、制御部１１５がＸドライバ１１３及びＹドライバ１１４を制御する。これにより、工場出荷後の経年に左右されることなく永続的に、工場出荷時と同様に適正な表示特性で表示パネル１１２を表示動作させる。【選択図】図１
2007121730.tif 000002
【特許請求の範囲】
【請求項１】
動作して表示面に画像を表示する表示手段と、
この表示手段が動作している状態における前記表示面を撮像する撮像手段と、
この撮像手段により撮像された画像に基づき、前記表示面の表示特性に関連する要素の状態を検出する検出手段と、
この検出手段により検出された前記表示特性に関連する要素の状態に基づき、前記表示手段の表示特性を制御する制御手段と
を備えることを特徴とする画像表示装置。
【請求項２】
前記表示手段は、前記撮像手段が撮像する際に、前記表示面に画面調整用の画像を表示することを特徴とする請求項１記載の画像表示装置。
【請求項３】
前記撮像手段は、前記表示面を斜め方向から撮像する撮像素子と、
この撮像素子により斜め方向から撮像された画像を略正面方向から撮像された画像に補正する補正手段とを備え、
前記検出手段は、前記補正手段により補正された画像に基づき、前記表示面の表示特性に関連する要素の状態を検出することを特徴とする請求項１又は２記載の画像表示装置。
【請求項４】
前記撮像手段は、撮像素子と、
この撮像素子に、前記表示面の画像を光学的に導く導光手段とを備えることを特徴とする請求項１、２又は３記載の画像表示装置。
【請求項５】
前記導光手段は、前記表示面の斜め方向からの画像を略正面方向からの画像に補正する補正手段を備えることを特徴とする請求項４記載の画像表示装置。
【請求項６】
前記制御手段は、前記表示面の輝度、階調特性、色温度又は色バランスの少なくとも一つを制御することを特徴とする請求項１から５にいずれか記載の画像表示装置。
【請求項７】
画像表示装置と送信装置とで構成される画像調整システムであって、
前記画像表示装置は、
動作して表示面に画像を表示する表示手段と、
前記送信装置から送信される画像を受信する受信手段と、
この受信手段により受信された前記画像に基づき、前記表示面の表示特性に関連する要素の状態を検出する検出手段と、
この検出手段により検出された前記表示特性に関連する要素の状態に基づき、前記表示手段の表示特性を制御する制御手段とを備え、
前記送信装置は、
前記表示手段が動作している状態における前記表示面を撮像する撮像手段と、
この撮像手段により撮像された前記表示面の画像を前記画像表示装置に送信する送信手段と
を備えることを特徴とする画像調整システム。
【請求項８】
画像表示装置と送信装置とで構成される画像調整システムであって、
前記画像表示装置は、
動作して表示面に画像を表示する表示手段と、
前記送信装置から送信される前記表示面の表示特性に関連する要素の状態を示すデータを受信手段と、
この受信手段により受信された前記表示面の表示特性に関連する要素の状態を示すデータに基づき、前記表示手段の表示特性を制御する制御手段とを備え、
前記送信装置は、
前記表示手段が動作している状態における前記表示面から、当該表示面の表示特性に関連する要素の状態を検出する検出手段と、
この検出手段により検出された前記表示特性に関連する要素の状態を示すデータを前記画像表示装置に送信する送信手段と
を備えることを特徴とする画像調整システム。
【請求項９】
前記画像表示装置の表示手段は、前記送信装置の撮像手段による撮像又は前記検出手段が動作する際に、前記表示面に画面調整用の画像を表示することを特徴とする請求項７又は８記載の画像調整システム。
【請求項１０】
前記制御手段は、前記表示面の輝度、該表示面に表示される画像の色温度又は色バランスの少なくとも一つを制御することを特徴とする請求項７、８又は９に記載の画像調整システム。
【請求項１１】
前記送信装置は、キー操作に応じて所定周波数に変調された信号を送信し前記画像表示装置を遠隔操作するリモコンユニットであり、
前記送信手段は、前記表示面の画像又は前記表示特性に関連する要素の状態を示すデータを前記所定周波数の信号に変調して送信することを特徴とする請求項７から１０にいずれか記載の画像調整システム。
【請求項１２】
動作して表示面に画像を表示する表示手段を有する画像表示装置における画像調整方法であって、
前記表示手段が動作している状態における前記表示面を撮像し、
この撮像した画像に基づき、前記表示面の表示特性に関連する要素の状態を検出し、
この検出した前記表示特性に関連する要素の状態に基づき、前記表示手段の表示特性を制御することを特徴とする画像調整方法。
【請求項１３】
動作して表示面に画像を表示する表示手段を有する画像表示装置における画像調整方法であって、
表示手段が動作している状態における前記表示面から、当該表示面の表示特性に関連する要素の状態を前記画像表示装置の外部において検出し、
この検出した前記表示特性に関連する要素の状態を示すデータを前記画像表示装置に送信し、
この送信された前記表示特性に関連する要素の状態を示すデータを画像表示装置側で受信して、
この受信した前記表示面の表示特性に関連する要素の状態を示すデータに基づき、前記表示手段の表示特性を制御することを特徴とする画像調整方法。
【発明の詳細な説明】
【技術分野】
【０００１】
本発明は、ＦＥＤ（Field Emission Display;電界放出ディスプレイ）やＳＥＤ（Surface-conduction Electron-emitter;表面電界電ディスプレイ）等の画像を表示するディスプレイを有する画像表示装置、画像調整システム及び画像調整方法に関するものである。
【背景技術】
【０００２】
従来、ＦＥＤやＳＥＤ等を有する画像表示装置、例えばテレビ受像機においては、工場出荷前に検査及び画質調整を行う際に、各種装置が用いられている。例えば、カラーテレビ受像機の自動特性検査・特性調整装置においては、基本となるカラーテレビ受像機と検査対象のカラーテレビ受像機における、画像の差信号、表示されるテストパターン画像と正常画像との差信号、カラーバーの各色におけるＲ，Ｇ，Ｂの割合と正規のＲ，Ｇ，Ｂの割合との信号差を検出して、これら検出した差が小さくなるように、色相、コントラスト等の画質の調整を、目視によらず電気的に行う（例えば、特許文献１参照。）。
【特許文献１】特開平０６−２２５３４５号公報
【発明の開示】
【発明が解決しようとする課題】
【０００３】
このように、ディスプレイを有する装置にあっては、工場出荷前にディスプレイに対する画質調整がなされることにより、適正な画質で画像を表示可能な状態で出荷される。しかし、ＦＥＤやＳＥＤ等のディスプレイは、画素毎に分割された表示素子毎にデジタル的に表示処理を行うことから、発光素子や駆動列毎の発光特性や輝度のバラツキある。このため、ユーザーの使用に伴う経年変化によりこの発光特性や輝度のバラツキが顕著となって、輝度の劣化や輝度ムラが不可避的に生じてしまう。無論、輝度ムラに限らず、階調特性等の表示面の表示特性に関連する各種要素に関しても、工場出荷後からの期間経過に伴って経年変化が生じてしまう。
【０００４】
本発明は、かかる従来の課題に鑑みてなされたものであり、経年変化による画質の劣化を回避することのできる画像表示装置、画像調整システム及び画像調整方法を提供することを目的とする。
【課題を解決するための手段】
【０００５】
前記課題を解決するため請求項１に係る画像表示装置にあっては、動作して表示面に画像を表示する表示手段と、この表示手段が動作している状態における前記表示面を撮像する撮像手段と、この撮像手段により撮像された画像に基づき、前記表示面の表示特性に関連する要素の状態を検出する検出手段と、この検出手段により検出された前記表示特性に関連する要素の状態に基づき、前記表示手段の表示特性を制御する制御手段とを備える。
【０００６】
前記画像表示装置は、工場出荷時等において表示面の表示特性は適正に調整されているが、経年変化に伴って表示特性は変化する。したがって、撮像手段により表示特性が変化した表示面を撮像し、この撮像した画像に基づき表示面の表示特性に関連する要素の状態を検出することにより、工場出荷後の経年による表示特性の変化を客観的に検出することができる。よって、この客観的に検出された工場出荷後の経年による表示特性の変化に基づき、表示手段の表示特性を制御することより、工場出荷後の経年に左右されることなく永続的に、工場出荷時と同様に適正な表示特性で表示手段を動作させることが可能となる。
【０００７】
また、請求項２に係る画像表示装置にあっては、前記表示手段は、前記撮像手段が撮像する際に、前記表示面に画面調整用の画像を表示する。したがって、この画面調整用の画像が表示された表示面が撮像されて、これに基づき表示面の表示特性に関連する要素の状態が検出されることにより、表示特性に関連する要素の状態変化を精度よく検出することができる。
【０００８】
また、請求項３に係る画像表示装置にあっては、前記撮像手段は、前記表示面の外周部に配置されて該表示面を斜め方向から撮像する撮像素子と、この撮像素子により斜め方向から撮像された画像を略正面方向から撮像された画像に補正する補正手段とを備え、前記検出手段は、前記補正手段により補正された画像に基づき、前記表示面の表示特性に関連する要素の状態を検出する。したがって、表示面を囲繞する画像表示装置の外枠等に撮像素子を配置することができ、製品の外観を損ねることがなく、既存のＴＶ受像機においても、簡単な設計変更で本発明を実施することができる。
【０００９】
また、請求項４に係る画像表示装置にあっては、前記撮像手段は、撮像素子と、この撮像素子に、前記表示面の画像を光学的に導く導光手段とを備える。したがって、表示面を囲繞する画像表示装置の外枠等に撮像素子を配置しても、支障なく表示面画像を撮像することができる。
【００１０】
また、請求項５に係る画像表示装置にあっては、前記撮像手段は、前記導光手段は、前記表示面の斜め方向からの画像を略正面方向からの画像に補正する補正手段を備える。したがって、表示面を囲繞する画像表示装置の外枠等に撮像素子を配置しても、支障なく表示面の略正面方向からの画像を撮像することができる。
【００１１】
また、請求項６に係る画像表示装置にあっては、前記制御手段は、前記表示面の輝度、階調特性、色温度又は色バランスの少なくとも一つを制御する。したがって、工場出荷後の経年に左右されることなく永続的に、表示面の輝度、階調特性、色温度又は色バランス等を工場出荷時と同様に適正維持することができる。
【００１２】
また、請求項７に係る画像調整システムにあっては、画像表示装置と送信装置とで構成される画像調整システムであって、前記画像表示装置は、動作して表示面に画像を表示する表示手段と、前記送信装置から送信される画像を受信する受信手段と、この受信手段により受信された前記画像に基づき、前記表示面の表示特性に関連する要素の状態を検出する検出手段と、この検出手段により検出された前記表示特性に関連する要素の状態に基づき、前記表示手段の表示特性を制御する制御手段とを備え、前記送信装置は、前記表示手段が動作している状態における前記表示面を撮像する撮像手段と、この撮像手段により撮像された前記表示面の画像を前記画像表示装置に送信する送信手段とを備える。
【００１３】
前記画像調整システムにおける画像表示装置は、工場出荷時等において表示面の表示特性は適正に調整されているが、経年変化に伴って表示特性は変化する。したがって、表示特性が変化した表示面を送信装置側で撮像して送信し、これを受信した画像表示装置側で撮像した画像に基づき表示面の表示特性に関連する要素の状態を検出することにより、工場出荷後の経年による表示特性の変化を客観的に検出することができる。よって、この検出された客観的な工場出荷後の経年による表示特性の変化に基づき、表示手段の表示特性を制御することより、工場出荷後の画像表示装置の経年に左右されることなく永続的に、工場出荷時と同様に適正な表示特性で表示手段を動作させることが可能となる。
【００１４】
また、請求項８に係る画像調整システムにあっては、画像表示装置と送信装置とで構成される画像調整システムであって、前記画像表示装置は、動作して表示面に画像を表示する表示手段と、前記送信装置から送信される前記表示面の表示特性に関連する要素の状態を示すデータを受信手段と、この受信手段により受信された前記表示面の表示特性に関連する要素の状態を示すデータに基づき、前記表示手段の表示特性を制御する制御手段とを備え、前記送信装置は、前記表示手段が動作している状態における前記表示面から、当該表示面の表示特性に関連する要素の状態を検出する検出手段と、この検出手段により検出された前記表示特性に関連する要素の状態を示すデータを前記画像表示装置に送信する送信手段とを備える。
【００１５】
前記画像調整システムにおける画像表示装置は、工場出荷時等において表示面の表示特性は適正に調整されているが、経年変化に伴って表示特性は変化する。したがって、表示特性が変化した表示面の表示特性に関連する要素の状態を送信装置側で検出することにより、工場出荷後の経年による表示特性の変化を客観的に検出することができる。よって、この客観的に検出された工場出荷後の経年による表示特性の変化を画像表示装置側で受信し、これに基づき、表示手段の表示特性を制御することより、工場出荷後の画像表示装置の経年に左右されることなく永続的に、工場出荷時と同様に適正な表示特性で表示手段を動作させることが可能となる。
【００１６】
また、請求項９に係る画像調整システムにあっては、前記画像表示装置の表示手段は、前記撮像手段による撮像又は前記送信装置の検出手段が動作する際に、前記表示面に画面調整用の画像を表示する。したがって、この画面調整用の画像が表示された表示面が撮像されて、これに基づき表示面の表示特性に関連する要素の状態が検出されることにより、表示特性に関連する要素の状態変化を精度よく検出することができる。
【００１７】
また、請求項１０に係る画像調整システムにあっては、前記制御手段は、前記表示面の輝度、該表示面に表示される画像の色温度又は色バランスの少なくとも一つを制御する。したがって、画像表示装置の工場出荷後の経年に左右されることなく永続的に、表示面の輝度、階調特性、色温度又は色バランス等を工場出荷時と同様に適正維持することができる。
【００１８】
また、請求項１１に係る画像調整システムにあっては、前記送信装置は、キー操作に応じて所定周波数に変調された信号を送信し前記画像表示装置を遠隔操作するリモコンユニットであり、前記送信手段は、前記表示面の画像又は前記表示特性に関連する要素の状態を示すデータを前記所定周波数の信号に変調して送信する。したがって、画像表示装置を遠隔操作するためのリモコンユニットを有効利用して、該リモコンユニットにより遠隔操作される画像表示装置の工場出荷後の経年に左右されることなく永続的に、工場出荷時と同様に適正な表示特性で当該画像表示装置の表示手段を動作させることが可能となる。
【００１９】
また、請求項１２に係る画像調整方法にあっては、動作して表示面に画像を表示する表示手段を有する画像表示装置における画像調整方法であって、前記表示手段が動作している状態における前記表示面を撮像し、この撮像した画像に基づき、前記表示面の表示特性に関連する要素の状態を検出し、この検出した前記表示特性に関連する要素の状態に基づき、前記表示手段の表示特性を制御する。したがって、記載した手順で各動作を行うことにより、請求項１及び請求項７に係る発明と同様の作用効果を奏する。
【００２０】
また、請求項１３に係る画像調整方法にあっては、動作して表示面に画像を表示する表示手段を有する画像表示装置における画像調整方法であって、表示手段が動作している状態における前記表示面から、当該表示面の表示特性に関連する要素の状態を前記画像表示装置の外部において検出し、この検出した前記表示特性に関連する要素の状態を示すデータを前記画像表示装置に送信し、この送信された前記表示特性に関連する要素の状態を示すデータを画像表示装置側で受信して、この受信した前記表示面の表示特性に関連する要素の状態を示すデータに基づき、前記表示手段の表示特性を制御する。したがって、記載した手順で各動作を行うことにより、請求項８に係る発明と同様の作用効果を奏する。
【発明の効果】
【００２１】
本発明に係る画像表示装置、画像調整システム及び画像調整方法によれば、工場出荷後の経年による表示特性の変化を客観的に検出することができる。よって、この客観的に検出された工場出荷後の経年による表示特性の変化に基づき、表示手段の表示特性を制御することより、工場出荷後の経年に左右されることなく永続的に、工場出荷時と同様に適正な表示特性で表示手段を動作させることが可能となる。
【発明を実施するための最良の形態】
【００２２】
以下、本発明の一実施の形態を図に従って説明する。
（第１の実施の形態）
図１は、本発明の第１の実施の形態を示すブロック図である。ＴＶ受像機１００は、アンテナ１０１に接続されたチューナ１０２を有し、チューナ１０２は選局制御部１０３により、受信周波数を制御される。この受信周波数制御されたチューナ１０２により受信された特定局のＴＶ信号は、ＶＩＦ／ＳＩＦセレクタ１０４により、音声信号と映像信号とに分離される。分離された音声信号は、音声多重復調／ＰＮＬ１０５により復調され、音声出力回路１０６を介してスピーカ１０７に供給されることにより、スピーカ１０７から音声として出力される。
【００２３】
前記ＶＩＦ／ＳＩＦセレクタ１０４により分離された映像信号は、映像信号処理部１０８に入力され、この映像信号は、映像・色信号処理回路１０９及びクロマ信号出力回路１１０を介して、表示駆動回路１１１に出力される。表示駆動回路１１１は、ＬＣＤ、ＰＤＰ、ＦＥＤ等からなる平面型で矩形の表示パネル１１２を駆動する回路であって、Ｘドライバ１１３とＹドライバ１１４とを有し、前記クロマ信号出力回路１１０からの出力はＸドライバ１１３に与えられる。
【００２４】
前記ＶＩＦ／ＳＩＦセレクタ１０４により分離された映像信号は、さらに制御回路１１５にも出力される。この制御回路１１５は、ＣＰＵ、このＣＰＵが動作するためのプログラムを記憶したＲＯＭ、ワーク用のＲＡＭ及びその周辺回路で構成されている。そして、前記表示パネル１１２において区分された表示領域毎の補正データメモリ１１６を有し、前記クロマ信号出力回路１１０、Ｘドライバ１１３、Ｙドライバ１１４及び撮像素子１２１等の各部を制御する。
【００２５】
この制御回路１１５には、操作入力部１１７、リモコンデコーダ１１８及び画面計測部１１９が接続されている。操作入力部１１７には電源ボタンや選局ボタン等の各種操作ボタンが設けられている。リモコンデコーダ１１８には、赤外線受光センサ１２０が接続され、赤外線受光センサ１２０は、リモコン送信機１４０から送信される赤外線信号を受信する。
【００２６】
画面計測部１１９は、表示パネル１１２を撮像する撮像素子１２１からのアナログ撮像信号をデジタル信号に変換するＡ／Ｄ変換器１２２、このＡ／Ｄ変換器１２２からのデジタル画像信号に各種処理を施す撮像信号処理部１２３、この撮像信号処理部１２３に切替器１２４を介して接続された画像メモリ１２５、この画像メモリ１２５に一時的に記憶された画像を座標変換及び歪曲補正する座標変換／歪曲補正部１２６、及びこの座標変換及び歪曲補正された画像の、輝度ムラ、ガンマ特性、色バランス等の表示特性に関連する要素の状態を検出する検出部１２７を有している。そして、この検出部１２７により検出され輝度ムラ、ガンマ特性、色バランス等の画質に関連する要素の状態が前記制御回路１１５に入力されるように構成されている。また、前記撮像素子１２１の前方には、この撮像素子１２１の撮像面に、表示パネル１１２の全領域を結像させることが可能な光学系１３１が設けられている。
【００２７】
このＴＶ受像機１００には、ビデオ／音声入力端子１２８が設けられており、このビデオ／音声入力端子１２８には、デジタルカメラ１５０等の外部映像ソースがビデオ出力端子１５１にて接続される。ビデオ／音声入力端子１２８は、ビデオ／音声入力回路１２９を介して、前記ＶＩＦ／ＳＩＦセレクタ１０１と切替器１２４とに接続されている。切替器１２４は、画像メモリ１２５をビデオ／音声入力回路１２９と撮像信号処理部１２３とに選択的に接続し、よって、前記検出部１２７には撮像素子１２１側の画像とデジタルカメラ１５０画像とを選択的に入力することが可能である。
【００２８】
なお、デジタルカメラ１５０は、一般的な構成であって撮像レンズ部１５２、電子ファインダー／モニター表示部１５３等を有している。また、前記表示駆動回路１１１のＹドライバ１１４には、ＤＣ／ＤＣコンバータ１３０が接続されている。
【００２９】
図２は、本実施の形態における前記撮像素子１２１と光学系１３１の配置構成を示す図である。図示のように、ＣＣＤ又はＣＭＯＳセンサ等からなる前記撮像素子１２１と、補正レンズ、結像レンズ等で構成される光学系１３１とは、前記表示パネル１１２を囲繞する外枠部１３２の下部中央に配置されている。そして、撮像素子１２１の前面に配置された光学系１３１により、撮像素子１２１は表示パネル１１２の全面を撮像し得る視野Ａを有している。
【００３０】
以上の構成に係る本実施の形態の動作を図３に示すフローチャート及び図４に示す動作遷移図に基づき説明する。すなわち、制御回路１１５はこのＴＶ受像機１００の電源がオンとなっており表示パネル１１２が表示動作しており、かつ、切替器１２４が図１に示すように、撮像信号処理部１２３側に切り替えられている状態において、前記プログラムに基づき、図３のフローチャートに示すように処理を実行する。なお、このとき表示パネル１１２に任意の放送番組等の画像を表示させておいてもよいし、画像を表示させることなく表示パネル１１２を表示動作させておいてもよいし、あるいは、後述するいずれかのテストパターンを表示パネル１１２に表示させておいてもよい。
【００３１】
まず、操作入力部１１７でのユーザの操作による指示、又は予めプログラムされている画面特性の定期的な調整処理周期に基づき、画面特性の調整処理を行うべきタイミングであるか否かを判断し（ステップＳ１０１）、画面特性の調整処理を行うべきタイミングでない場合には、その他の調整処理に移行する（ステップＳ１０２）。
【００３２】
また、画面特性の調整処理を行うべきタイミングである場合には、表示動作している表示パネル１１２（図４（Ａ））の画面全体を撮像素子１２１による撮影する（ステップＳ１０３、図４（Ｂ））。したがって、このステップＳ１０３での処理により、図４（Ｃ）に示すように、表示パネル１１２の全体からなる撮影画像Ｐ１が得られる。しかし、この撮影画像Ｐ１にあっては、表示パネル１１２を囲繞する外枠部１３２の下部中央に配置されている撮像素子１２１により撮像したものであるから、表示パネル１１２を斜め方向から撮像したものであって、図４（Ｃ）に示したように、矩形の表示パネル１１２が台形に撮影されている。したがって、この矩形の表示パネル１１２が台形に撮影されている撮影画像の画像データを座標変換、又は歪曲補正処理することにより、表示パネル１１２を略正面から見た本来の矩形である画像データを生成する（ステップＳ１０４、図４（Ｄ））。このステップＳ１０４での処理により、図４（Ｅ）に示すように、表示パネル１１２が本来の矩形である画像Ｐ２が得られる。
【００３３】
次に、操作入力部１１７でのユーザの操作による指示、又は予めプログラムされている定期的な輝度ムラの調整周期に基づき、輝度ムラの調整処理を行うべきタイミングであるか否かを判断し（ステップＳ１０５）、輝度ムラの調整処理を行うべきタイミングでない場合には、階調特性、色温度、色バランス等、その他の画面調整処理へ移行する（ステップＳ１０６）。
【００３４】
また、輝度ムラの調整処理を行うべきタイミングである場合には、前記ステップＳ１０４で補正処理された画像の撮像データから各領域の画素毎の輝度を検出する（ステップＳ１０７、図４（Ｆ））。ここで、各領域とは図４（Ｅ）に示すように、表示パネル１１２が本来の矩形である画像Ｐ２を仮想的に複数の各々等しい面積に分割した領域であり、図示においては１６等分に分割された各領域である。
【００３５】
引き続き、このステップＳ１０７で検出された画素毎の輝度値より、ブロック毎、行列毎の輝度値を算出するとともに、画面平均、行列平均、ブロック平均の各輝度値を算出する（ステップＳ１０８）。ここで、ブロックとは、前記領域よりも小さい範囲内に存在する画素群からなる輝度制御可能な単位である。また、行列毎の輝度値とは、表示パネル１１２においてＸ方向に配置されている一行の画素群からなる各行の輝度値、及びＹ方向に配列されている一列の画素群からなる各列の輝度値である。また、画面平均の輝度値とは、画面全体の画素の輝度値の平均値である。行列平均の輝度値とは、各行、列に属する画素の輝度値の平均値であり、ブロック平均の輝度値とは、当該ブロックに属する画素の輝度値の平均値である。
【００３６】
そして、このように前記輝度値あるいは平均の輝度値を算出したならば、
（１）各行列の輝度差＝各行列の輝度値−画面平均の輝度値
（２）各ブロックの輝度差＝各ブロックの輝度値−当該行列の平均輝度値
（３）各画素の輝度差＝各画素の輝度値−当該ブロック平均の輝度値
をそれぞれ算出する（ステップＳ１０９）。
ここで、式（２）において、「当該行列の平均輝度値」とは、当該ブロックと交差する行及び列の平均輝度値であり、式（３）において、「当該ブロック平均の輝度値」とは、当該画素が属するブロックのブロック平均の輝度値である。
【００３７】
次に、表示パネル１１２における最初の行及び列に対して、他より輝度が高い行列であるか否かを判断する（ステップＳ１１０）。この判断は、前記式（１）で算出した当該行列の輝度差が所定値以上であるか否かにより行う。この判断の結果、当該行及び列の輝度差が所定値以上でない場合には、ステップＳ１１１の処理を行うことなく、ステップＳ１１２に進む。しかし、当該行又は列の輝度差が所定値以上であって、他より輝度が高い行列であるならば（図４（Ｇ）参照）、当該行列の駆動電圧を下げるよう、当該行列の輝度補正データを設定し、前記補正データメモリ１１６に記憶する（ステップＳ１１１）。なお、このとき当該行のみ、又は列のみの輝度差が所定値以上であって、他より輝度が高い場合には、当該行のみ、又は列のみの駆動電圧を下げるよう、当該行列の輝度補正データを設定し、前記補正データメモリ１１６に記憶する。
【００３８】
引き続き、他より輝度が低い行列であるか否かを判断する（ステップＳ１１２）。この判断は、前記式（１）で算出した当該行列の輝度差が所定値未満であるか否かにより行う。この判断の結果、当該行及び列の輝度差が所定値未満でない場合には、ステップＳ１１３の処理を行うことなく、ステップＳ１１３に進む。しかし、当該行及び列の輝度差が所定値未満であって、他より輝度が低い行列であるならば（図３（Ｇ）参照）、当該行列の駆動電圧を上げるよう、当該行列の輝度補正データを設定し、前記補正データメモリ１１６に記憶する（ステップＳ１１３）。このとき前述と同様に、当該行のみ、又は列のみの輝度差が所定値以上であって、他より輝度が低い場合には、当該行のみ、又は列のみの駆動電圧を下げるよう、当該行列の輝度補正データを設定し、前記補正データメモリ１１６に記憶する。
なお、ステップＳ１１０で用いる所定値は正の値でありステップＳ１１２で用いる所定値は負の値であることが好ましいが、両者が同一の値であってもよい。
【００３９】
次に、以上のステップＳ１１０〜Ｓ１１３の処理を行った行列が表示パネル１１２において最後の行列であるか否かを判断する（ステップＳ１１４）。最後の行でない場合には次の行列を選択して（ステップＳ１１５）、ステップＳ１１０からの処理を繰り返す。そして、最後の行列までステップＳ１１０〜Ｓ１１３の処理を行ったならば（ステップＳ１１４；ＹＥＳ）、制御回路１１５はＸドライバ１１３及びＹドライバを制御し、各行列の駆動信号を、前記補正データメモリ１１６に記憶した当該行列の駆動信号を当該行列の輝度補正データに基づいて、補正して出力させる（ステップＳ１１６、図４（Ｈ））。これにより、図４（Ｉ）に示すように、行及び列単位の輝度ムラが補正されることとなる。
【００４０】
さらに、表示パネル１１２のブロック及び画素に対しても、以上に説明した行列と同様の処理を実行する。すなわち、表示パネル１１２における最初のブロック、画素に対して、他より輝度が高いブロック、画素であるか否かを判断する（ステップＳ１１７）。この判断は、前記式（２）（３）で算出した当該ブロック、画素の輝度差が所定値以上であるか否かにより行う。この判断の結果、当該ブロック、画素の輝度差が所定値以上でない場合には、ステップＳ１１８の処理を行うことなく、ステップＳ１１９に進む。しかし、当該行又は列の輝度差が所定値以上であって、他より輝度が高いブロック、画素であるならば、当該ブロック、画素の駆動電圧を下げるよう、当該ブロック、画素の輝度補正データを設定し、前記補正データメモリ１１６に記憶する（ステップＳ１１８）。
【００４１】
引き続き、他より輝度が低いブロック、画素であるか否かを判断する（ステップＳ１１９）。この判断は、前記式（２）（３）で算出した当該ブロック、画素の輝度差が所定値未満であるか否かにより行う。この判断の結果、当該ブロック、画素の輝度差が所定値未満でない場合には、ステップＳ１２０の処理を行うことなく、ステップＳ１１２１に進む。しかし、当該ブロック、画素の輝度差が所定値未満であって、他より輝度が低いブロック、画素であるならば、当該ブロック、画素の駆動電圧を上げるよう、当該ブロック、画素の輝度補正データを設定し、前記補正データメモリ１１６に記憶する（ステップＳ１２０）。
なお、ステップＳ１１７で用いる所定値は正の値でありステップＳ１１９で用いる所定値は負の値であることが好ましいが、両者が同一の値であってもよい。
【００４２】
次に、以上のステップＳ１１７〜Ｓ１２０の処理を行ったブロック、画素が表示パネル１１２において最後のブロック、画素であるか否かを判断する（ステップＳ１２１）。最後の行でない場合には次のブロック、画素を選択して（ステップＳ１２２）、ステップＳ１１７からの処理を繰り返す。そして、最後のブロック、画素までステップＳ１１７〜Ｓ１２０の処理を行ったならば（ステップＳ１２１；ＹＥＳ）、制御回路１１５はＸドライバ１１３及びＹドライバを制御し、各ブロック、画素の駆動信号を、前記補正データメモリ１１６に記憶した当該ブロック、画素の駆動信号を当該ブロック、画素の輝度補正データに基づいて、補正して出力させる（ステップＳ１２３、図４（Ｊ））。これにより、図４（Ｋ）に示すように、ブロック単位及び画素単位の輝度ムラも補正されることとなる。
【００４３】
なお、以上の説明においては、撮像素子１２１により撮像された画像を用いるようにしたが、切替器１２４を図１とは逆にビデオ／音声入力回路２９側に接続させることにより、デジタルカメラ１５０で撮像した画像を用いて同様の制御を行うことも可能である。また、本実施の形態においては、輝度ムラの調整を行うようにしたが、後述する第２の実施の形態に示すように、画像の階調特性、色温度、色バランスやその他の画面特性を調整するようにしてもよい。
【００４４】
図５は、前記表示パネル１１２がＰＤＰである場合の表示駆動回路の構成例を示す図である。すなわち、輝度ムラ等補正信号部１６０は、輝度ムラなどの検出信号に基づき、補正信号を生成して、制御回路１６１と高圧電源１６７とに出力する。また、信号処理部１６２は、映像信号などを処理して制御回路１６１に入力し、制御回路１６１は、走査信号をＹ維持ドライバ１６３に出力し、データ信号をアドレスドライバ１６４に出力する。前記高圧電源１６７は、駆動電圧をＰＤＰ１６８のＸ走査ドライバ１６５とＹ走査ドライバ１６６、及び前記Ｙ維持ドライバ１６３とアドレスドライバ１６４とに供給するように構成される。
【００４５】
前記ＰＤＰ１６８では、図６に示すように、フロントとリヤのガラス基板１６９、１７０間に１００μｍ程度の隔壁１７１を形成して放電セルを構成し、セルの内部に３原色のＲＧＢの蛍光体層１７２を形成する。ＲＧＢのセルの組が１表示画素１７３になる。セル内は真空にされた後、ネオン（Ｎｅ）やキセノン（Ｘｅ）、ヘリウム（Ｈｅ）などのガスが封入される。電極でセルに電圧をかけると、セル内部で放電が起こり、紫外線が発生してセル内部の蛍光体層１７２を励起して発光する。なお、図６において、１７４は絶縁層、１７５はカソード電極、１７６は電子放出部（エミッタ）、１７７はゲート電極、１７８はアノード電極（ユニット）である。そして、アノード電極（ユニット）１７８、ゲート電極１７７、カソード電極１７５は、各々アノード電極制御回路１７９、ゲート電極制御回路１８０、カソード電極制御回路１８１を介して、前記制御回路１６１に接続されることとなる
【００４６】
また、ＰＤＰでは、全ての画素を同時に発光させるフィールド単位の全並列同時駆動方式、全画面同時発光方式を利用している。主流のＡＣ（交流）駆動型のＰＤＰでは、電極が誘導体層と保護層で覆われ、放電セルには極性が半周期で反転する維持パルス電圧が流される。そこに、ドレス電極から書込パルスを与えると放電が始まり、発生したプラスイオンと電子は保護層の酸化マグネシウム（ＭｇＯ）の表面に蓄積され、逆電圧（壁電荷）が生じている放電は停止する。維持パルスの極性が変わると、壁電荷により逆方向の放電が起き、維持パルスの半周期毎に方向が逆の放電を繰り返す。放電を停止させるには消去パルスを使う。１枚のフィールドを８〜１２のサブフィールド（子画面）に分けて、輝度の重み付けをして、８フィールドの場合、２の８乗＝２５６階調に輝度を制御することができる。
【００４７】
図７（ａ）に示すＡＷＳ（Address While Sustain）駆動方式では、時間軸に沿って、書き込み、表示、消去を順次行っていたが、同図（ｂ）に示すＡＤＳ（Address and Display Separated）駆動方式＝アドレス・表示期間分離型サブフィールド方式では、どのセル（画素）を光らせるかのデータを書き込むアドレス期間と、実際にセルを光らせる発光期間とを時間的に分離して、始めに各画素にアドレスデータを高速で書き込み、書き込み動作後に、全面を一斉に発光させるので、表示期間を任意に設定できる。すなわち、アドレス電極にデータ信号が、Ｙ電極に走査（スキャン）信号が各々メモリされ、アドレス電極とＹ電極の間で小さな放電（予備放電）を行い、セル毎に放電する／しないを決定してから全面表示する。予備発光により前述の逆電圧（壁電圧）が残り、全面発光した時には、壁電荷が残っているセルのみが発光することとなる。
【００４８】
図８は、ＦＥＤにおける各種エミッタの構成を示す図である。（ａ）は、立体行動型エミッタの例を示す図であり、図において１８２はカソード電極、８３はマイクロディップ（エミッタ）、１８４は絶縁層、１８５はゲート電極である。（ｂ）は、ＣＮＴ（カーボンナノチューブ）電極型を示す図であり、図において１８７はＣＮＴ層（エミッタ）、１８８はカソード電極、１８９は絶縁層、１９０はゲート電極、１９１は放出孔である。（ｃ）は、表面電導（ＳＣＥ）型を示す図であり、図において１９５は基板、１３５は素子膜である。（ｄ）は、ＢＳＤ型を示す図であり、図において１８６は電極である。（ｅ）は、ＭＩＭ型を示す図であり、図において１９２は上部電極給電配線下層、１９３は下部電極、１９４はトンネル絶縁膜、１９５は基板、１９６は保護絶縁層、１９７は層間絶縁膜、１９８は上部電極、１９９は上部電極給電配線である。
【００４９】
（第１の実施の形態の変形例）
【００５０】
図９〜図１１は、前記撮像素子１２１により表示パネル１１２の画像表示面を撮像するための構成の変形例を示す図である。
図９は、回転走査ミラーとｆ−θレンズによる走査式の輝度ムラ検出機構を示すものである。撮像素子１２１の前面には、結像レンズ１が配置されており、結像レンズ１の前方にはモータ２により回転駆動される回転式走査ミラー（ポリゴンミラー）４が配置されている。一方、表示パネル１１２の表示面側の上部には、下面側にミラー面を有するミラー５が表示パネル１１２の上縁に沿って斜状に配置されており、このミラー５の下部にはこれに沿ってシリンドリカル・レンズ６が配設されている。また、前記ミラー５と回転式走査ミラー４間には、ｆ−θレンズが配置されている。
【００５１】
係る構成において、モータ２の回転に伴って回転式走査ミラー４が一定方向（矢印方向）に回転すると、シリンドリカル・レンズ６を透過してミラー５に反射した表示パネル１１２の画像が一端部側から他端部側（白抜き矢印）に走査されることとなる。この画像は、結像レンズ１により撮像素子１２１に投影される。よって、撮像素子１２１にてこれら走査される画像を撮像することにより、表示パネル１１２の表示面側を撮影することができる。
【００５２】
図１０は、回転走査ミラーと湾曲面ミラーによる走査式の輝度ムラ検出機構を示すものである。撮像素子１２１の前面には、結像レンズ１が配置されており、結像レンズ１の前方にはモータ２により回転駆動される回転式走査ミラー（ポリゴンミラー）４が配置されている。一方、表示パネル１１２の表示面側の上部には、湾曲面ミラー８が表示パネル１１２の上縁に沿って配置されている。この湾曲面ミラー８は、前記回転式走査ミラー４の回転中心を中心とする円弧状であるとともに、内側に湾曲した断面形状であって、該内側にミラー面が設けられている。
【００５３】
係る構成において、モータ２の回転に伴って回転式走査ミラー４が一定方向（矢印方向）に回転すると、湾曲面ミラー８に反射した表示パネル１１２の画像が一端部側から他端部側（白抜き矢印）に走査されることとなる。この画像は、結像レンズ１により撮像素子１２１に投影される。よって、撮像素子１２１にてこれら走査される画像を撮像することにより、表示パネル１１２の表示面側を撮影することができる。
なお、この図９及び図１０に示した構成例においては、撮像素子１２１を用いるようにしたが、ライン型フォトセンサを用いるようにしてもよい。
【００５４】
図１１は、表示パネル１１２を囲繞する外枠部１３２にホップアップする（飛び出し／収納自在）なミラーを設けた構成例を示すものである。すなわち、外枠部１３２の前面であって下部中央部には、矩形の凹部１０が形成されており、該凹部１０の中央部には円形の穴１１が設けられている。この穴１１内には、奥部に撮像素子１２１が配置され、この撮像素子１２１の前面側には結像光学系１２が配置されている。また、前記凹部１０の両端部には、各々リンク機構１３、１３の一端部が枢支されており、このリンク機構１３、１３の他端部間には前記凹部１０の内側に合致する形状のホップアップ部１４が固着されている。このホップアップ部１４の内側には、平面ミラーあるいは曲面ミラーからなるミラー１５が設けられている。
【００５５】
以上の構成において、表示パネル１１２の撮像を行われない通常時においては、ホップアップ部１４を押圧するとリンク機構１３、１３が屈曲して、ホップアップ部１４は凹部１０内に収容される。また、表示パネル１１２の撮像が行われる際には、ホップアップ部１４を引きだすと、リンク機構１３、１３が伸張して、結像光学系１２の前方に対峙する。したがって、表示パネル１１２の表示面はミラー１５に反射して結像光学系１２により撮像素子１２１上に結像され、よって、撮像素子１２１により表示パネル１１２の表示面を撮像することが可能となる。
【００５６】
なお、以上の図９〜図１１に示した変形例を用いた場合であっても、図３に示したフローチャートに従って処理を実行することにより、ステップＳ１０４で撮影画像の画像データを座標変換、又は歪曲補正処理することにより、表示パネル１１２を略正面から見た本来の矩形である画像データを生成するようにしてもよい。つまり、撮像素子１２１により撮影される画像データは、撮影後の座標変換又は歪曲補正処理により表示パネル１１２を略正面から見た本来の矩形である画像に補正してもよいし、撮影前に光学系により表示パネル１１２を略正面から見た本来の矩形である画像に補正して撮像素子１２１に導光してもよいし、撮影前に光学系により補正して撮像素子１２１に導光し、かつ、撮影後の座標変換又は歪曲補正処理により補正するようにしてもよい。
【００５７】
（第２の実施の形態）
【００５８】
図１２〜図１４は、本発明の第２の実施の形態を示すものである。図１２に示すように、本実施の形態は、ＴＶ受像機２００とリモコン送信機２５０とで構成されている。ＴＶ受像機２００は、ＬＣＤ、ＰＤＰ、ＦＥＤ等からなる平面型で矩形の表示パネル２０１を有するとともに、この表示パネル２０１を囲繞する外枠部２０２の前面下部にコード受信部２０３が設けられている。一方、リモコン送信機２５０は、略矩形の箱体であって上面部にはリモコン操作キー２５１が配置され、前面にはコード送信部２５２が設けられているとともに、その上部に光学系＆撮像カメラ部２５３が設けられている。
【００５９】
図１３は、ＴＶ受像機２００及びリモコン送信機２５０の回路構成を示すブロック図である。ＴＶ受像機２００は、フロントエンド２０４を有し、このフロントエンド２０４には地上アナログ放送アンテナ２０５と地上デジタル放送アンテナ２２２とに接続された地上デジタルチューナ２０６、及びＢＳ／１１０度ＣＳデジタル放送アンテナ２０７に接続されたＢＳ／１１０度ＣＳデジタルチューナ２０８が設けられている。そして、地上デジタルチューナ２０６はＤＯＤ／ＯＦＤＭ復調回路２０９に接続され、ＢＳ／１１０度ＣＳデジタルチューナ２０８はＯＰＳＫ復調回路２１０に接続されている。
【００６０】
前記フロントエンド２０４の出力段には、デジタルＴＶ用システムＬＳＩ２１１が配置されている。このデジタルＴＶ用システムＬＳＩ２１１には、ＤＥＭＵＸ映像／音声／データ分離部２１２、ＭＰＥＧ２／Ｈ．２６４デコーダ２１３、グラフィックエンジン２１４、フォーマットコンバータ２１５、及びＣＰＵコア２１６が設けられている。
【００６１】
前記システムＬＳＩ２１１の出力段には、前記表示パネル２０１を表示制御するＬＣＤ／ＰＤＰ／ＳＥＤバックエンドプロセッサ２１７が設けられている。このバックエンドプロセッサ２１７には、ＲＧＢプロセッサ２１８及び表示ドライバ２１９が設けられており、表示ドライバ２１９はＸドライバ２２０とＹドライバ２２１とを有している。
【００６２】
前記地上アナログ放送アンテナ２０５と地上デジタル放送アンテナ２２２には、アナログＴＶチューナ２２３が接続されており、このアナログＴＶチューナ２２３はＡ／Ｄ変換器１２２、ゴースト除去回路２２５及び３次元ＹＣ分離回路２２６を介して、前記システムＬＳＩ２１１のＤＥＭＵＸ映像／音声／データ分離部２１２に接続されている。また、このＴＶ受像機２００には、外部入力端子２２７とＤＶＤ／ＶＴＲ２２８とが設けられている。外部入力端子２２７はビデオ／音声入力ＩＦ２２９を介してＤＥＭＵＸ映像／音声／データ分離部２１２に接続され、ＤＶＤ／ＶＴＲ２２８はＡ／Ｄ変換器２３０を介して前記３次元ＹＣ分離回路２２６に接続されている。
【００６３】
また、前記システムＬＳＩ２１１のＣＰＵコア２１６には、バス２３１を介して前記ＲＧＢプロセッサ２１８が接続されているとともに、プログラムメモリ（フラッシュメモリ）２３２、大容量メモリ２３３、ＨＤＤ装置２３４及びリモコン受信ユニット２３５が接続されている。プログラムメモリ２３２には、本実施の形態に係るＴＶ受像機２００において必要な処理を実行するためのプログラムが記憶されており、ＣＰＵコア２１６を有するシステムＬＳＩ２１１は、このプログラムに従って動作することにより、ＲＧＢプロセッサ２１８等を制御する。前記リモコン受信ユニット２３５には、前記コード受信部２０３内に配置された受光センサ２３６が接続されている。
【００６４】
さらに、前記バス２３１には、コントローラ２３７及びＬＡＮ処理ＬＳＩ２３８が接続されている。コントローラ２３７には、操作入力部２４２とメモリカードインタフェース２３９とが接続され、メモリカードインタフェース２３９にはメモリカード２４０が着脱自在に接続される。また、ＬＡＮ処理ＬＳＩ２３８には、イーサネット（登録商標）コネクタ２４１が接続されている。
【００６５】
一方、リモコン送信機２５０には、前記コード送信部２５２の前端部に配置された赤外ＬＥＤ２５４と、前記光学系＆撮像カメラ部２５３の前端部に配置された光学系２５５とが設けられている。光学系２５５の後方には、撮像素子２５６が配置され、撮像素子２５６は、撮像信号処理部２５７、画像処理部２５８を介して送信コードエンコーダ２５９に接続されている。この送信コードエンコーダ２５９は、送信部２６０を介して前記赤外ＬＥＤ２５４に接続されているとともに、前記リモコン操作キー２５１が接続されている。
【００６６】
なお、このリモコン送信機２５０は、マイコン（図示せず）を内蔵し、前記各部はマイコンにより制御される。また、ＴＶ受像機２００において、前記外部入力端子２２７には、ビデオカメラ２７０を出力端子２７１にて接続することが可能である。また、前記イーサネット（登録商標）コネクタ２３９には、アクセスポイント等を介して、外部のサーバー装置２６２に接続することが可能である。
【００６７】
以上の構成に係る本実施の形態において、ユーザがリモコン送信機２５０を使用するに際しては、図１２に示したようにコード送信部２５２と光学系＆撮像カメラ部２５３とをＴＶ受像機２００に向ける。この状態において、リモコン送信機２５０のマイコンは、図１４（ａ）に示すフローチャートに従って処理を実行する。先ず、常時監視している操作キー２５１の状態に基づき、キー操作があったか否かを判断し（ステップＲ２０１）、キー操作があるまで待機する。キー操作があったならば、それが「画面調整キー」の操作であるか否かを判断する（ステップＲ２０２）。「画面調整キー」の操作ではなく、チャンネル変更キーや音量調整キー等の他のキー操作であった場合には、当該リモコン送信機２５０の機器コードとともに、当該キーに対応するコードを赤外線送信する（ステップＲ２１１）。
【００６８】
また、「画面調整キー」の操作であった場合には、内蔵のカメラ部つまり撮像素子２５６、撮像信号処理部２５７、画像処理部２５８等を起動して撮影動作させる（ステップＲ２０３）。これにより、ＴＶ受像機２００の表示パネル２０１を含む被写体が撮像される。次に、この撮影画像から、ＴＶ画面領域つまり表示パネル２０１領域を抽出する（ステップＲ２０４）。このとき、ユーザが表示パネル２０１の真正面に光学系＆撮像カメラ部２５３を位置させていることはまずなく、撮影画像は斜め方向から撮影されたものとなる。したがって、前記ステップＲ０４で抽出した、撮影されたＴＶ画面の画像データを座標変換、又は歪曲補正処理することにより、表示パネル２０１を略正面から見た本来の矩形であるＴＶ画面の画像データを生成する（ステップＲ２０５）。
【００６９】
次に、操作キー２５１でのユーザの操作により、画面情報の検出が指示されたか否かを判断し（ステップＲ２０６）、画面情報の検出が指示されない場合には、ステップＲ２０７の処理を実行することなく、ステップＲ２０８に進む。また、画面情報の検出が指示された場合には、前記抽出されたＴＶ画面領域の撮影画像から、画面情報を検出して抽出する（ステップＲ２０７）。
【００７０】
引き続き、前記Ｒ２０４で抽出されたＴＶ画面の画像データ、又は前記ステップＲ２０７で抽出された画面情報を圧縮符号化し（ステップＲ２０８）、この圧縮符号化した画像データ、又は前記画像情報を送信コードに符号化する（ステップＲ２０９）。そして、当該リモコン送信機２５０の機器コード、前記ステップＲ２０２で操作が検出された「画面統制キー」のコードとともに、前記画面の画像データ及び画像情報の符号化コードを送信する（ステップＲ２１０）。
【００７１】
一方、ＴＶ受像機２００のシステムＬＳＩ２１１は、前記プログラムに従って図１４（ｂ）のフローチャートに示すように処理を実行する。前記ステップＲ２１０とＲ２１１の処理でリモコン送信機２５０からリモコンコードが送信されると、このリモコンコードを受信して、リモコン受信ユニット２３５に復号処理させる（ステップＴ２０１）。そして、この復号したリモコンコードに基づき、当該ＴＶ受像機２００に対応するリモコン送信機２５０のリモコンコードを受信したか否かを判断する（ステップＴ２０２）。対応するリモコン送信機２５０のリモコンコードでない場合には、以降の処理を実行することなく、待機状態を形成する。対応するリモコン送信機２５０のリモコンコードである場合には、「画面調整キー」コードを受信したか否かを判断し（ステップＴ２０３）、「画面調整キー」コードではなく、チャンネル変更キーや音量調整キー等の他のコードであった場合には、その他キーに対応する処理を実行する（ステップＴ２０４）。また、「画面調整キー」コードを受信した場合には、付随する受信コードから、前記画面の画像データ又は画像情報を復号する（ステップＴ０６）。
【００７２】
引き続き、操作入力部２４２でのユーザの操作による指示、又は予めプログラムされている輝度ムラの定期的な調整処理周期に基づき、輝度ムラの調整処理を行うべきタイミングであるか否かを判断する（ステップＴ２０６）。輝度ムラの調整処理を行うべきタイミングでない場合には、前記ＴＶ画面の画像データ又は画面情報から、画像の階調特性、色温度、色バランスやその他の画面特性を検出する（ステップＴ２０７）。そして、この検出した画像の階調特性、色温度、色バランスやその他の画面特性と、予めプログラムメモリ２３２に記憶してあるこのＴＶ受像機２００において理想的な画像の階調特性、色温度、色バランスやその他の画面特性とを比較して、両者の差分に基づき、前記理想的な画像の階調特性、色温度、色バランスやその他の画面特性となるように、バックエンドプロセッサ２１７に指示する（ステップＴ２０８）。この指示に従って、バックエンドプロセッサ２１７が動作することことにより、表示パネル２０１に、このＴＶ受像機２００において理想的な画像の階調特性、色温度、色バランスやその他の画面特性が設定されることとなる。
【００７３】
また、ステップＴ２０６での判断の結果、輝度ムラの調整タイミングである場合には、前記ＴＶ画面の画像データ又は検出画像情報から、輝度ムラ領域を検出し（ステップＴ２０９）、輝度ムラ領域と輝度ムラの程度に応じて、該当する表示駆動回路を制御して、当該領域の輝度を調整する（ステップＴ２１０）。このステップＴ２０９とＴ２１０の詳細な処理手順は、図３に示したフローチャートにおけるステップＳ１０７〜Ｓ１２３の処理と同様である。したがって、第１の実施の形態と同様に、行及び列単位の輝度ムラが補正されるとともに、ブロック単位及び画素単位の輝度ムラも補正されることとなる。
【００７４】
なお、図１４（ａ）のステップＲ２０２においては「画面調整キー」の操作であるか否かを判断し、ステップＲ２０６においては画面情報の検出が指示されたか否かを判断するようにしたが、予めプログラムされている画面特性の定期的な調整処理周期に基づき、画面特性の調整処理を行うべきタイミングであるか否かを判断し、あるいは予めプログラムされている定期的な画面情報の検出の周期に基づき、画面情報の検出すべきタイミングであるか否かを判断し、その判断結果に応じて処理を実行するようにしてもよい。
【００７５】
（第３の実施の形態）
【００７６】
図１５及び図１６は、本発明の第３の実施の形態を示すものである。図１５に示すように、本実施の形態は、ＴＶ受像機３００とリモコン送信機３５０とで構成されている。ＴＶ受像機３００は、アンテナ３０１に接続されたチューナ３０２を有し、チューナ３０２は選局制御部３０３により、受信周波数を制御される。この受信周波数制御されたチューナ３０２により受信された特定局のＴＶ信号は、ビデオＩＦ３０４を介して映像信号処理部３０５の映像・色信号処理回路３０６と制御回路３０７とに入力される。映像信号処理部３０５は、前記映像・色信号処理回路３０６とともに、クロマ信号出力回路３０８及びテストパターン生成回路３０９を有している。このテストパターン生成回路３０９により生成されたテストパターン映像信号、及び映像・色信号処理回路３０６で処理された映像・色信号はクロマ信号出力回路３０８を介して、表示駆動回路３１０に出力される。表示駆動回路３１０は、ＬＣＤ、ＰＤＰ、ＦＥＤ等からなる平面型で矩形の表示パネル３１１を駆動する回路であって、Ｘドライバ３１２とＹドライバ３１３とを有し、前記クロマ信号出力回路３０８からの出力はＸドライバ３１２に与えられる。
【００７７】
前記制御回路３０７は、ＣＰＵ、このＣＰＵが動作するためのプログラムを記憶したＲＯＭ、ワーク用のＲＡＭ及びその周辺回路で構成されており、前記クロマ信号出力回路３０８、Ｘドライバ３１２及びＹドライバ３１３等の各部を制御する。この制御回路３０７には、操作入力部３１４及びリモコンデコーダ３１５が接続されている。操作入力部３１４には電源ボタンや選局ボタン等の各種操作ボタンが設けられている。リモコンデコーダ３１５には、赤外線受光部３１６が接続され、受光部３１６は操作によりリモコン送信機３５０から送信される赤外線信号を受信する。
【００７８】
一方、リモコン送信機３５０の本体部３５１には、その先端部に開口部３５２が設けられており、本体部３５１内であって開口部３５２の後方にはスリット３５３が設けられている。スリット３５３の後方にはプリズム／回析格子３５４及びフォトセンサアレー３５５が順次配置され、フォトセンサアレー３５５はドライバ／センスアンプ３５６に接続されている。ドライバ／センスアンプ３５６は色度座標／色温度計測部３５７に接続され、色度座標／色温度計測部３５７は、順次出力段側にＡ／Ｄ変換器３５８、エネルギー分布表メモリ３５９、刺激値演算部３６０、色度座標演算部３６１、色温度演算部３６２を備え、刺激値演算部３６０には等色関数データメモリ３６３が接続されている。前記色度座標演算部３６１、色温度演算部３６２とは、色度座標又は色温度情報メモリ３６４に接続され、この色度座標又は色温度情報メモリ３６４からのデータは、マイコンからなる制御回路３６５内のエンコーダ（符号器）３６６に与えられる。
【００７９】
制御回路３６５には、プログラムを記憶したプログラムメモリとしてのＲＯＭ３６７とデータメモリとしてのＲＡＭ３６８が接続されており、色度座標／色温度計測部３５７を含む各部を制御する。また、エンコーダ３６６には、リモコンコードが記憶されたリモコンコード表３６９とキー操作部３７０とが接続され、キー操作部３７０には、テストパターン表示キー３７１と画面調整キー３７２等が設けられている。前記エンコーダ３６６の出力段には、赤外線送信部３７３及びこれに接続された赤外線ＬＥＤ３７４が設けられている。
【００８０】
以上の構成に係る本実施の形態において、ユーザがリモコン送信機３５０を使用するに際しては、前述した第２の実施の形態と同様に、前端部をＴＶ受像機３００に向ける。この状態において、リモコン送信機３５０は制御回路３６５が前記プログラムに従って処理を実行することにより、図１６（ａ）に示すフローチャートに示すように動作する。先ず、常時監視しているキー操作部３７０の状態に基づき、キー操作があったか否かを判断し（ステップＲ３０１）、キー操作があるまで待機する。キー操作があったならば、それが画面調整キー３７２又はテストパターン表示キー３７１の操作であるか否かを判断する（ステップＲ３０２）。画面調整キー３７２又はテストパターン表示キー３７１の操作ではなく、チャンネル変更キーや音量調整キー等の他のキー操作であった場合には、その他のキー処理を実行する（ステップＲ３０３）。
【００８１】
また、画面調整キー３７２又はテストパターン表示キー３７１の操作であった場合には、ＴＶ受像機３００に対し、当該リモコン送信機３５０のコードであるリモコンコードとともにテストパターン画像表示指令（「画面調整キー」又は「テストパターン表示キー」のコード）を送る（ステップＲ３０４）。次に、予め等色関数データメモリ３６３に記憶してある、ｒ￣（λ），ｇ￣（λ），ｂ￣（λ）、あるいはｘ￣（λ），ｙ￣（λ），ｚ￣（λ）等の人間の波長帯域毎の相対感度特性を表す等色関数データを読み出して設定する（ステップＲ３０５）。
【００８２】
次に、後述するように、ＴＶ受像機３００がテストパターン等を表示させるまでの所定時間待ち（ステップＲ３０６）、所定時間が経過したならば、色度座標／色温度計測部３５７を制御して動作させることにより、ＴＶ受像機３００の表示パネル３１１に表示されているカラーチャート又はテストパターン画像３２０（図１５参照）の測光処理を行う（ステップＲ３０７）。そして、この測光処理により、波長別のエネルギー分布を測定し、エネルギー分布表Ｌ（λｉ）を作成する（ステップＲ３０８）。さらに、この作成したエネルギー分布表Ｌ（λｉ）を用いて、下記例示式に示すように、Ｒ，Ｇ，Ｂの３刺激値を計算する（ステップＲ３０９）。
Ｒ＝Σｉ｛ｒ￣（λｉ）・Ｌ（λｉ）｝、
Ｇ＝Σｉ｛ｇ￣（λｉ）・Ｌ（λｉ）｝、
Ｂ＝Σｉ｛ｂ￣（λｉ）・Ｌ（λｉ）｝
【００８３】
また、このステップＲ３０９で求めたＲ，Ｇ，Ｂの３刺激値から、下記例示式により、色度座標（ｒ，ｇ，ｂ）を算出して決定する（ステップＲ３１０）。次に、キー操作部３７０でのユーザの操作による指示、又は予めプログラムされている座標変換する定期的な周期に基づき、座標変換するタイミングであるか否かを判断し（ステップＳ３１１）、このタイミングでない場合には、ステップＲ３１２の処理を行うことなく、ステップＲ３１４に進む。また、座標変換するタイミングである場合には、色度座標（ｒ，ｇ，ｂ）をＸ，Ｙ，Ｚ座標、ｘ、ｙ，ｚ座標、あるいはＬ＊ａ＊ｂ座標等の他の表色系や色度座標に変換する（ステップＲ３１２）。
【００８４】
引き続き、前記色度座標（ｒ，ｇ，ｂ）から相関色温度Ｔａ、黒体輻射軌跡との偏差Δｕｖ等を算出し（ステップＲ３１３）、後述するステップＴ３０８で順次切り替えられる各テストパターンの色度座標と色温度をメモリ（ＲＡＭ３６８）に順次記憶する（ステップＲ３１４）。さらに、後述するステップＴ３０８で順次切り替えられる各テストパターンに対応する所定のパターン数の色温度を計測したか否かを判断し（ステップＲ３１５）、所定のパターン数の色温度を計測するまで、ステップＲ３０６からの処理を繰り返す。そして、所定のパターン数の色温度計測を完了したならば、各パターンの色温度、又は色度座標等の画面情報をエンコーダ３６６により符号化して、リモコンコードとともに赤外線送信部３７３及び赤外線ＬＥＤ３７４よりＴＶ受像機３００に向けて送信する（ステップＲ３１６）。
【００８５】
一方、ＴＶ受像機３００は、前記ステップＲ３０４での処理により、リモコン送信機３５０側からテストパターン画像表示指令とともにリモコンコードが送信されてくると、これを受信して、復号処理する（ステップＲ３０１）。そして、この復号したリモコンコードに基づき、当該ＴＶ受像機３００に対応するリモコン送信機３５０のリモコンコードを受信したか否かを判断する（ステップＴ３０２）。対応するリモコン送信機３５０のリモコンコードでない場合には、以降の処理を実行することなく、待機状態を形成する。対応するリモコン送信機３５０のリモコンコードである場合には、テストパターン画像表示指令である「画面調整キー」又は「テストパターン表示キー」のコードを受信したか否かを判断し（ステップＴ３０３）、両コードではなく、チャンネル変更キーや音量調整キー等の他のコードであった場合には、その他キーに対応する処理を実行する（ステップＴ３０４）。また、テストパターン画像表示指令である「画面調整キー」又は「テストパターン表示キー」のコードであった場合には、所定のテストパターン、又は、カラーチャート画像を生成して、ＴＶ画面（表示パネル３１１）に表示させる（ステップＴ３０５）。
【００８６】
次に、リモコン送信機３５０側が前述したステップＲ３０８〜Ｒ３１５の処理に要する時間に対応する処理時間待ちを行って（ステップＴ３０６）、所定時間が経過するまで（ステップＴ３０７）、ステップＴ３０５で表示したテストパターン等の表示状態を継続する。所定時間が経過したならば、所定のパターン数を表示したか否かを判断し（ステップＴ３０９）、所定のパターン数の表示を完了するまで、ステップＴ３０５からの処理を繰り返す。
【００８７】
そして、所定のパターン数の表示を完了したならば、前述したステップＴ３１６での処理により、リモコン送信機３５０側から各パターンの色温度、又は色度座標等の画面情報とともに送られてきたリモコンコードを受信して、復号処理する（ステップＲ３１０）。そして、この復号したリモコンコードに基づき、当該ＴＶ受像機３００に対応するリモコン送信機３５０のリモコンコードを受信したか否かを判断する（ステップＴ３１１）。対応するリモコン送信機３５０のリモコンコードでない場合には、以降の処理を実行することなく、待機状態を形成する。対応するリモコン送信機２５０のリモコンコードである場合には、受信した各パターンの色度座標、又は色温度等の画面情報の受信コードを伸張復号する（ステップＴ３１２）。さらに、受信した色度座標、又は色温度等の画面情報に基づいて、表示駆動回路３１０を制御して、画面（表示パネル３１１）のカラーバランス等を調整する（ステップＴ３１３）。しかる後に、テストパターンやカラーチャート画像の表示を止めて、通常の画面を表示させる（ステップＴ３１４）。
【００８８】
図１７は、前述した第１、第２及び第３の実施の形態において、表示パネルにテストパターン又はカラーチャートを表示する場合のテストパターン画像の構成例を示す図である。図において、（ａ）はガンマ（γ）特性など輝度の階調特性を検出して調整するための、輝度０％（黒）、輝度１０％（グレー）、輝度２０％（グレー）〜９０％（グレー）、輝度１００％（白）など、階調別のグレースケールの画像の例を示す。（ｂ）は、色温度や色バランス、色再現性などを検出し調整するための、ＳＭＰＴＥカラーバー（ＳＭＰＴＥ：米国映画テレビ技術者協会）等と同様に、白、黄、シアン（水色）、緑、マゼンタ（赤紫）、赤、青、黒などの色見本を並べたカラーチャート画像の例を示す。（ｃ）は、同じく、色温度や色バランス、色再現性等を検出調整するための複合型のテストパターンの画像の例を示す。
【００８９】
図１８は、同じ区画領域内において、グレースケールやカラーチャートの色見本等を順次、時分割式に切り替えて表示する動的やテストパターンの例であり、リモコン送信機に内蔵の小型センサで、画面の同じ点のみ撮影や検出する場合にも、複数の異なる色見本パターンを順に撮影や検出することができる。
【００９０】
図１９は、同様に、前述した第１、第２及び第３の実施の形態において、表示パネルに表示されたグレースケールやカラーチャート等のテストパターン画像を撮像して、画像の輝度の階調特性を求める方法を示す。各入力階調値のグレースケールの出力輝度データを計測し、入力階調輝度に対応する出力輝度をメモリに記憶して、また、計測された表示パネルの入出力特性を表す関数を、Ｙ＝Ｘγなどにあてはめ、輝度のγ（ガンマ）を算出し、階調特性を求めることができる。
【００９１】
図２０は、算出された前記画面の輝度のガンマ特性など階調特性に基づいて、輝度分布の変換処理などにより、階調特性やコントラストなどを変換補正する輝度バラツキ補正回路、ガンマ補正回路の例を示すブロック図である。図に示すように、輝度・色度計測部４００は、外部カメラからの輝度情報を取得する取得部４０１と、この取得部４０１が取得した輝度情報からＲＧＢ輝度を計測する計測部４０２、この計測部４０２で計測されたＲＧＢ輝度に基づき、色度座標又は色温度を算出する算出部４０３を有するとともに、前記輝度情報に基づき階調毎の輝度データを検出する検出部４０４、及びこの検出された階調毎の輝度データに基づき入出力特性（ガンマ）を算出する算出部４０５を有している。
【００９２】
前記算出部４０３により算出された色度座標又は色温度は、色温度補正、色バランス補正部４０６に与えられ、前記算出部４０５により算出された入出力特性（ガンマ）はガンマ補正部４０７に与えられる。ガンマ補正部４０７は、入出力特性（ガンマ）に基づき映像信号のＲ，Ｇ，Ｂを補正してＲ′，Ｇ′，Ｂ′を生成し、このＲ′，Ｇ′，Ｂ′は色度座標、色温度の検出部４０８とＷＢ制御部４０９とに出力される。色度座標、色温度の検出部４０８は、前記Ｒ′，Ｇ′，Ｂ′の色度座標、色温度を検出して、前記色温度補正、色バランス補正部４０６に入力する。色温度補正、色バランス補正部４０６は、色度座標、色温度の検出部４０８により検出されたＲ′，Ｇ′，Ｂ′の色度座標、色温度と前記算出部４０３により算出された色度座標又は色温度とに基づき、制御データを生成してＷＢ制御部４０９に出力し、ＷＢ制御部４０９はこの制御データに基づき、前記Ｒ′，Ｇ′，Ｂ′の利得を各々制御して、Ｒ″，Ｇ″，Ｂ″を出力する。このＷＢ制御部４０９からの出力Ｒ″，Ｇ″，Ｂ″は、カラーマトリクス４１０によりＹ，Ｕ，Ｖデータに変換され、このＹ，Ｕ，Ｖデータは各々ＬＰＦ４１１で濾波されてＮＴＳＣエンコーダ４１２でビデオ信号（ＮＴＳＣコンポジット信号）に変換されて、後述する表示パネル４２０に画像として表示されることとなる。
【００９３】
一方、輝度のバラツキ補正部４１３には、前記取得部４０１により取得された外部カメラからの輝度情報に基づき、各行列、ブロック、画素の輝度検出、画像平均、行列平均、ブロック平均の輝度を検出する輝度検出部４１４、この検出部４１４により検出された前記各輝度に基づき、各行列、ブロック、画素の輝度補正データを算出する輝度補正データ算出部４１５、この輝度補正データ算出部４１５により算出された各行列、ブロック、画素毎の輝度補正データを記憶するメモリ４１６が設けられている。さらに、輝度のバラツキ補正部４１３には、前記ＷＢ制御部４０９から出力されたＲ″，Ｇ″，Ｂ″を一時的に記憶する画像データメモリ４１７が設けられており、この画像データメモリ４１７に一時的に記憶されるＲ″，Ｇ″，Ｂ″画像データは、前記メモリ４１６と画像データの輝度データ補正変換部４１８とに出力される。輝度データ補正変換部４１８は、Ｒ″，Ｇ″，Ｂ″画像データを前記メモリ４１６から読み出した各行列、ブロック、画素毎の輝度補正データに基づき補正して、画像データの輝度データ補正変換を行う。この補正変換された輝度データが表示駆動回路４１９に与えられて、表示駆動回路４１９が動作することより、表示パネル４２０の画質（輝度）が補正されることとなる。
【００９４】
図２１〜図２３は、検出された色度座標や色温度に基づいて、ディスプレー画像の表示色温度や色バランスを補正調整する例を示すものである。これらの図において、図２１は、ビデオ信号の色度補正、色バランス補正の回路例を示す図であり、色温度６５００Ｋ（ケルビン）の画像信号を５０００Ｋに変換する例を示すものである。取得部５００は、後述する表示パネル５１２の表示面を撮像する外部カメラの色温度、色度座標情報を取得して、色温度補正、色バランス補正部５０１に与える。一方、ガンマ補正部５０２は、画像信号のＲ，Ｇ，Ｂを補正してＲ′，Ｇ′，Ｂ′を生成し、このＲ′，Ｇ′，Ｂ′はＲＧＢ別の各利得制御部５０４、５０５、５０６に入力されるとともに、検出部５０３に入力され、検出部５０３は前記Ｒ′，Ｇ′，Ｂ′の色温度及び色バランスを検出して、前記色温度補正、色バランス補正部５０１に与える。
【００９５】
色温度補正、色バランス補正部５０１は、検出部５０３により検出されたＲ′，Ｇ′，Ｂ′の色温度及び色バランスと、取得部５００からの色温度、色度座標情報とに基づいて、色温度補正、色バランス補正を行って、色温度６５００Ｋを５０００Ｋに変換し、前記各利得制御部５０４、５０５、５０６に与える。各各利得制御部５０４、５０５、５０６は、この補正された色温度５０００Ｋに基づき、前記Ｒ′，Ｇ′，Ｂ′の利得を各々制御して、Ｒ″，Ｇ″，Ｂ″を出力する。この出力されたＲ″，Ｇ″，Ｂ″は、カラーマトリクス５０７によりＹ，Ｕ，Ｖデータに変換され、このＹ，Ｕ，Ｖデータは各々ＬＰＦ５０８で濾波されてＮＴＳＣエンコーダ５０９でビデオ信号（ＮＴＳＣコンポジット信号）に変換されて、後述する表示パネル５１２に画像として表示される。他方、デジタル表示制御部５１０は、各利得制御部５０４、５０５、５０６から出力されたＲ″，Ｇ″，Ｂ″に基づき、表示駆動制御回路５１１を制御し、これにより、表示パネル５１２の色温度が調整されることとなる。
【００９６】
つまり、例えば黒体輻射の色温度毎の波長帯域のエネルギーの動体強度は、図２２（ａ）に示すように、２９００Ｋなど、色温度が低い光では波長が長い（赤に近い）帯域のエネルギーが強く、波長が短い（紫や青に近い）帯域のエネルギーが弱くなるので、赤みがかって見え、逆に、９３００Ｋと、色温度が高い光では、波長が長い（赤に近い）帯域のエネルギーが弱く、波長が短い（紫や青に近い）帯域のエネルギーが強くなるので、青みがかって見える。
【００９７】
色温度の補正では、前述した図２１の回路のような、ホワイトバランス制御回路によって、通常は、画像信号のＲＧＢなどの色信号に応じて、ホワイトバランス補正が行われるが、前述した各実施の形態のように、外枠やリモコン送信機に設けたカメラや色度計により計測された色信号に色温度や色度座標に基づいて、強制的にホワイトバランスを再設定することができる。
【００９８】
例えば図２２（ｂ）に示すように、色度毎に応じたＲＧＢ成分の相対強度データなどから、検出された色温度（例、６５００Ｋ）に応じて、当該色温度のＲＧＢ信号の基準色温度（例、５０００Ｋ）に対する各相対強度（例、Ｒ＝０．７６、Ｇ＝１．０、Ｂ＝１．１４）を求め、それに応じて、ＲＧＢの各色差信号を、図２１に示したホワイトバランス制御回路によって、色差信号毎に、（例えば、Ｒ×１／０．７６、Ｇ×１／１、Ｂ×１／１．１４倍と）その相対強度の逆比例となるように利得を調整すれば、目標とする基準色温度（例、５０００Ｋ）のＲＧＢ信号が得られる。
【００９９】
また、図２３は、同様に色バランスの補正方法の例であり、カラーチャート等が表示された画面を撮影した画像から、検出された各色見本の色度座標や（Ｒ−Ｙ、Ｂ−Ｙなど）色差データと、色見本の本来の色度座標や色差データとの偏差を検出して、その偏差に基づいて、それを補正するように画面のバランスを（Cyan-Red軸、Magenta-Creen軸、Yellow-Blue軸など）色座標軸毎に調整することで補正することができる。
【図面の簡単な説明】
【０１００】
【図１】本発明の第１の実施の形態を示すブロック図である。
【図２】本実施の形態における撮像素子と光学系の配置構成を示す図である。
【図３】本実施の形態の動作を示すフローチャートである。
【図４】本実施の形態の動作遷移図である。
【図５】表示パネルがＰＤＰである場合の表示駆動回路の構成例を示す図である。
【図６】ＰＤＰの要部を示す説明図である。
【図７】ＰＤＰの表示駆動方法の例を示す図である。
【図８】ＳＥＤ、ＦＥＤパネルのカソード電極部の構造例を示す図である。
【図９】第１の実施の形態の変形例であって、回転操作ミラーとｆ−θレンズによる走査式の輝度ムラ検出センサの例を示す図である。
【図１０】同変形例であって、回転操作ミラーと湾曲面ミラーによる走査式の輝度ムラ検出センサの例を示す図である。
【図１１】同変形例であって、ホップアップするミラーと対面する撮像センサによる輝度ムラ検出センサの例を示す図である。
【図１２】本発明の第２の実施の形態を示す斜視図である。
【図１３】同実施の形態に係るＴＶ受像機とリモコン送信機の回路構成を示すブロック図である。
【図１４】同実施の形態におるリモコン送信機とＴＶ受像機の処理手順を示すフローチャートである。
【図１５】本発明の第３の実施の形態に係るＴＶ受像機とリモコン送信機のブロック回路図である。
【図１６】同実施の形態におるリモコン送信機とＴＶ受像機の動作を示すフローチャートである。
【図１７】テストパターン又はカラーチャートの画像の構成例を示す図である。
【図１８】テストパターンの時分割切り換え例を示す図である。
【図１９】ガンマ特性（輝度の入出力特性）の計測を示す図である。
【図２０】輝度バラツキの補正回路、ガンマ補正回路の例を示すブロック図である。
【図２１】ビデオ信号の色温度補正、色バランス補正の回路構成例を示す図である。
【図２２】（ａ）は黒体輻射の分光分布特性例（５０００Ｋの各スペクトル強度を１とした場合の相対強度）を示す図であり、（ｂ）は色温度毎のＲＧＢ成分の相対強度と色温度の補正の例（相対強度の逆数で利得制御）を示す図である。
【図２３】色バランスの計測と補正の工程を示す図である。
【符号の説明】
【０１０１】
１００    ＴＶ受像機
１１１    表示駆動回路
１１２    表示パネル
１１３    Ｘドライバ
１１４    Ｙドライバ
１１５    制御回路
１１６    補正データメモリ
１１７    操作入力部
１１８    リモコンデコーダ
１１９    画面計測部
１２１    撮像素子
１２２    Ａ／Ｄ変換器
１２３    撮像信号処理部
１２５    画像メモリ
１２６    座標変換／歪曲補正部
１２７    検出部
１３１    光学系
１３２    外枠部
１４０    リモコン送信機
１５０    デジタルカメラ
１５１    ビデオ出力端子
１５２    撮像レンズ部
１６０    輝度ムラ等補正信号部
１６１    制御回路
１６２    信号処理部
１６３    Ｙ維持ドライバ
１６４    アドレスドライバ
１６５    Ｘ走査ドライバ
１６６    Ｙ走査ドライバ
２００    ＴＶ受像機
２０１    表示パネル
２０２    外枠部
２０３    コード受信部
２０４    フロントエンド
２１９    表示ドライバ
２２０    Ｘドライバ
２２１    Ｙドライバ
２３２    プログラムメモリ
２５３    撮像カメラ部
３００    ＴＶ受像機
３０７    制御回路
３０８    クロマ信号出力回路
３０９    テストパターン生成回路
３１０    表示駆動回路
３１１    表示パネル
３１２    Ｘドライバ
３１３    Ｙドライバ
３１４    操作入力部
３１６    赤外線受光部
３５０    リモコン送信機
３５１    本体部
３５２    開口部
３５５    フォトセンサアレー
３５７    色度座標／色温度計測部
３５８    Ａ／Ｄ変換器
３５９    エネルギー分布表メモリ
３６０    刺激値演算部
３６１    色度座標演算部
３６２    色温度演算部
３６３    等色関数データメモリ
３６４    色温度情報メモリ
３６５    制御回路
３６６    エンコーダ
３６７    ＲＯＭ
３６８    ＲＡＭ
【図１】
2007121730.tif 000003
【図２】
2007121730.tif 000004
【図３】
2007121730.tif 000005
【図４】
2007121730.tif 000006
【図５】
2007121730.tif 000007
【図６】
2007121730.tif 000008
【図７】
2007121730.tif 000009
【図８】
2007121730.tif 000010
【図９】
2007121730.tif 000011
【図１０】
2007121730.tif 000012
【図１１】
2007121730.tif 000013
【図１２】
2007121730.tif 000014
【図１３】
2007121730.tif 000015
【図１４】
2007121730.tif 000016
【図１５】
2007121730.tif 000017
【図１６】
2007121730.tif 000018
【図１７】
2007121730.tif 000019
【図１８】
2007121730.tif 000020
【図１９】
2007121730.tif 000021
【図２０】
2007121730.tif 000022
【図２１】
2007121730.tif 000023
【図２２】
2007121730.tif 000024
【図２３】
2007121730.tif 000025